(57)【要約】      （修正有）【課題】運搬時にハウジングを有するモジュールの損傷を防止できる収容ケースを提供する。【解決手段】収容ケース２は、第１通信部を収容する第１ハウジング４１を有する第１モジュール４と、第２通信部を収容する第２ハウジング５１を有する第２モジュール５とを収容する。収容ケース２は、折り曲げ部２８ａ，２８ｂを有する。収容ケース２は、第１モジュール４と第２モジュール５が互いに離間した状態で第１モジュール４と第２モジュール５を収容する。収容ケース２は、折り曲げ部２８ａ，２８ｂを折り曲げることで開状態から閉状態となるように開閉可能に構成される。【選択図】図７
2017024734.tif 000002
【特許請求の範囲】
【請求項１】
第１ホスト機器と電気的に接続される第１通信部を収容する第１ハウジングを有する第１モジュールと、第２ホスト機器と電気的に接続される第２通信部を収容する第２ハウジングを有する第２モジュールとを収容する収容ケースであって、
折り曲げ可能な折り曲げ部を有し、
前記第１モジュールと前記第２モジュールが互いに離間した状態で前記第１モジュールと前記第２モジュールを収容し、
前記折り曲げ部を折り曲げることで開状態から閉状態となるように開閉可能に構成された、収容ケース。
【請求項２】
前記第１モジュールと前記第２モジュールは同一の方向に向けて前記収容ケースに収容される、請求項１に記載の収容ケース。
【請求項３】
上部と、下部と、前記上部と前記下部とを接続する中間部とをさらに有し、
前記上部は、上固定部を有し、
前記下部は、前記上固定部に固定される下固定部を有し、
前記中間部は、前記第１モジュールの端部及び前記第２モジュールの端部を収容する収容部を有し、
前記上固定部と前記下固定部が互いに固定された状態で、前記収容部と対向配置した支持部が前記上部及び前記下部によって形成され、
前記支持部は、前記第１モジュールと前記第２モジュールが互いに離間した状態で前記第１モジュールの一部と前記第２モジュールの一部を収容する請求項１又は請求項２に記載の収容ケース。
【請求項４】
前記収容部は、
前記第１モジュールの端部を収容する第１収容部と、
前記第１収容部とは離間しており、前記第２モジュールの端部を収容する第２収容部と、を有し、
前記支持部は、前記第１収容部と対向配置した第１支持部と、前記第２収容部と対向配置した第２支持部とを有し、
前記上固定部は、第１上固定部と、第２上固定部と、第３上固定部とを有し、
前記下固定部は、前記第１上固定部と固定される第１下固定部と、前記第２上固定部と固定される第２下固定部と、前記第３上固定部と固定される第３下固定部とを有し、
前記第１支持部は、前記第１上固定部と前記第２上固定部との間及び前記第１下固定部と前記第２下固定部との間に配置され、
前記第２支持部は、前記第２上固定部と前記第３上固定部との間及び前記第２下固定部と前記第３下固定部との間に配置される請求項３に記載の収容ケース。
【請求項５】
前記上部は、
前記支持部から突出する第１上突出部と、
前記第１上突出部と対向配置され、前記支持部から突出する第２上突出部と、
をさらに有し、
前記下部は、
前記支持部から突出する第１下突出部と、
前記第１下突出部と対向配置され、前記支持部から突出する第２下突出部と、
をさらに有し、
前記支持部は、前記第１上突出部と前記第２上突出部との間及び前記第１下突出部と前記第２下突出部との間に配置される請求項３又は請求項４に記載の収容ケース。
【請求項６】
第１ホスト機器と電気的に接続される第１通信部と、前記第１通信部を収容する第１ハウジングとを有する第１モジュールと、
第２ホスト機器と電気的に接続される第２通信部と、前記第２通信部を収容する第２ハウジングとを有する第２モジュールと、
一端が前記第１モジュールに固定されると共に、他端が前記第２モジュールに固定され、前記第１通信部と前記第２通信部とを接続する信号線を有するケーブルと、
請求項１から請求項５のうちいずれか一項に記載の収容ケースと、
を備えた配線部材。
【請求項７】
前記第１モジュールと前記第２モジュールは同一の方向に向けて前記収容ケースに収容され、
前記ケーブルは、前記第１モジュールと前記第２モジュールを囲むように配置される請求項６に記載の配線部材。
【請求項８】
前記信号線は、メタル線と、前記メタル線の外周に設けられたシールド層とを有し、
前記第１通信部は、前記第１ホスト機器に電気的に接続される第１回路基板を有し、
前記第１回路基板は、
前記メタル線が半田付けされた第１シグナルパッドと、
前記シールド層が半田付けされた第１グランドパッドと、を有し、
前記第１モジュールが前記収容ケースに収容された状態で、前記第１シグナルパッド及び前記第１グランドパッドのうち少なくとも一つが前記第１上突出部と前記第１下突出部との間に配置される請求項６又は請求項７に記載の配線部材。
【請求項９】
前記第１通信部は、前記第１ホスト機器に電気的に接続される第１回路基板を有し、
前記第１ハウジングは、前記第１回路基板が収容される低背部と、前記ケーブルが導入される高背部とを有し、
前記第１ハウジングの長手方向に直交する厚さ方向において、前記高背部の幅は、前記低背部の幅よりも大きく、且つ、前記第２上突出部と前記第２下突出部との間の距離よりも小さく、
前記第２上突出部と前記第２下突出部との間において、前記支持部と連通する空間部が形成され、
前記第１ハウジングの長手方向において、前記高背部と前記第２上突出部との間及び前記高背部と前記第２下突出部との間には空隙が設けられている請求項６から請求項８のうちいずれか一項に記載の配線部材。
【請求項１０】
前記第１ハウジングは、前記第１ホスト機器に設けられたレセプタクルハウジングと弾性的に接触すると共に、前記第１ハウジングと前記レセプタクルハウジングを電気的に接続するフィンガーを有し、
前記第２上突出部と前記第２下突出部との間において、前記支持部と連通する空間部が形成され、
前記フィンガーは前記空間部に収容される請求項６から請求項８のうちいずれか一項に記載の配線部材。
【請求項１１】
前記第１ハウジングは、前記第１ホスト機器に設けられたレセプタクルハウジングと弾性的に係合するラッチ機構を有し、
前記第２上突出部と前記第２下突出部間において、前記支持部と連通する空間部が形成され、
前記ラッチ機構は前記空間部に収容される請求項６から請求項８のうちいずれか一項に記載の配線部材。
【請求項１２】
絶縁性樹脂シートをプレス成形することで形成される、請求項１から請求項５のうちいずれか一項に記載の収容ケース。
【発明の詳細な説明】
【技術分野】
【０００１】
本発明は、収容ケースおよび収容ケースを備える配線部材に関する。
【背景技術】
【０００２】
サーバ等のコンピュータや通信装置が設置されたデータセンターに対応する通信モジュールの規格に適合したダイレクトアタッチケーブルが特許文献１，２に開示されている。
【先行技術文献】
【特許文献】
【０００３】
【特許文献１】米国特許第８８５８０９５号明細書
【特許文献２】特許第５５９８１９２号公報
【発明の概要】
【発明が解決しようとする課題】
【０００４】
しかしながら、特許文献１又は特許文献２に開示されたダイレクトアタッチケーブルでは、ケーブルの各端部がプラグコネクタに固定されており、プラグコネクタでは、ハウジングが剥き出しの状態となっている。このため、ダイレクトアタッチケーブルを運搬する最中に、ハウジング同士が衝突することで、ハウジングが損傷する虞がある。特に、ハウジングが金属製の場合にはこの問題が顕著となる恐れがある。
【０００５】
本発明は、運搬時にハウジングを有するモジュールの損傷を防止できる収容ケースを提供することを目的とする。
【課題を解決するための手段】
【０００６】
本発明の一態様の収容ケースは、第１ホスト機器と電気的に接続される第１通信部を収容する第１ハウジングを有する第１モジュールと、第２ホスト機器と電気的に接続される第２通信部を収容する第２ハウジングを有する第２モジュールとを収容する。
前記収容ケースは、折り曲げ可能な折り曲げ部を有する。
前記収容ケースは、前記第１モジュールと前記第２モジュールが互いに離間した状態で前記第１モジュールと前記第２モジュールを収容する。
前記収容ケースは、前記折り曲げ部を折り曲げることで開状態から閉状態となるように開閉可能に構成される。
【発明の効果】
【０００７】
本発明によれば、運搬時に第１モジュールと第２モジュールの接触に起因する第１モジュールと第２モジュールの損傷を防止できる収容ケースを提供することができる。
【図面の簡単な説明】
【０００８】
【図１】本発明の実施形態に係る収容ケースを備える配線部材を示す概略図である。
【図２】配線部材を示す上面図である。
【図３】ケーブルに固定された第１モジュール（又は、第２モジュール）を示す斜視図である。
【図４】（ａ）ケーブルの長手方向に直交する断面図である。（ｂ）ケーブルに含まれる信号線を示す斜視図である。
【図５】第１通信部（又は、第２通信部）を示す上面図である。
【図６】（ａ）開状態である収容ケースを示す斜視図である。（ｂ）閉状態である収容ケースを示す斜視図である。（ｃ）（ｂ）に示す収容ケースをＡ方向から見たときの収容ケースの側面図である。
【図７】収容ケースが開状態であるときの第１，２モジュールの一部が収容された収容ケースを示す斜視図である。
【図８】図７に示す収容ケースの左右方向に直交する断面図である。
【図９】収容ケースが閉状態であるときの収容ケースの左右方向に直交する断面図である。
【図１０】収容ケースが閉状態であるときの収容ケース及び第１モジュールの左右方向に直交する断面図である。
【図１１】変形例に係る第１モジュールを示す斜視図である。
【図１２】図１１に示す第１モジュールが収容されるレセプタクルハウジングを示す斜視図である。
【図１３】収容ケースが閉状態であるときの図１１に示す第１モジュールが収容された収容ケースの左右方向に直交する断面図である。
【発明を実施するための形態】
【０００９】
［本発明の実施形態の説明］
本発明の実施形態の概要を説明する。
（１）第１ホスト機器と電気的に接続される第１通信部を収容する第１ハウジングを有する第１モジュールと、第２ホスト機器と電気的に接続される第２通信部を収容する第２ハウジングを有する第２モジュールとを収容する収容ケースであって、
折り曲げ可能な折り曲げ部を有し、
前記第１モジュールと前記第２モジュールが互いに離間した状態で前記第１モジュールと前記第２モジュールを収容し、
前記折り曲げ部を折り曲げることで開状態から閉状態となるように開閉可能に構成された、収容ケース。
【００１０】
上記構成によれば、第１モジュールと第２モジュールが互いに離間した状態で収容ケースに収容されると共に、収容ケースは開閉可能に構成されている。従って、運搬時に第１モジュールと第２モジュールの接触に起因する第１モジュールと第２モジュールの損傷を防止できる収容ケースを提供することができる。また、梱包作業及び開梱作業が容易な収容ケースを提供することができる。
【００１１】
（２）前記第１モジュールと前記第２モジュールは同一の方向に向けて前記収容ケースに収容される、項目（１）に記載の収容ケース。
【００１２】
上記構成によれば、梱包を小型化できる。
【００１３】
（３）上部と、下部と、前記上部と前記下部とを接続する中間部とをさらに有し、
前記上部は、上固定部を有し、
前記下部は、前記上固定部に固定される下固定部を有し、
前記中間部は、前記第１モジュールの端部及び前記第２モジュールの端部を収容する収容部を有し、
前記上固定部と前記下固定部が互いに固定された状態で、前記収容部と対向配置した支持部が前記上部及び前記下部によって形成され、
前記支持部は、前記第１モジュールと前記第２モジュールが互いに離間した状態で前記第１モジュールの一部と前記第２モジュールの一部を収容する項目（１）又は項目（２）に記載の収容ケース。
【００１４】
上記構成によれば、第１モジュールの端部と第２モジュールの端部を収容部に収容した後に、上固定部と下固定部を互いに固定することで、第１モジュールの一部と第２モジュールの一部を収容する支持部が形成される。このように、２アクションによる簡単な作業で第１モジュールと第２モジュールを収容ケースに収容する又は収容ケースから取り出すことができる。また、収容部と支持部を独立して構成することで、収容ケースの外力に対する信頼性を高くすることができる。
【００１５】
（４）前記収容部は、
前記第１モジュールの端部を収容する第１収容部と、
前記第１収容部とは離間しており、前記第２モジュールの端部を収容する第２収容部と、を有し、
前記支持部は、前記第１収容部と対向配置した第１支持部と、前記第２収容部と対向配置した第２支持部とを有し、
前記上固定部は、第１上固定部と、第２上固定部と、第３上固定部とを有し、
前記下固定部は、前記第１上固定部と固定される第１下固定部と、前記第２上固定部と固定される第２下固定部と、前記第３上固定部と固定される第３下固定部とを有し、
前記第１支持部は、前記第１上固定部と前記第２上固定部との間及び前記第１下固定部と前記第２下固定部との間に配置され、
前記第２支持部は、前記第２上固定部と前記第３上固定部との間及び前記第２下固定部と前記第３下固定部との間に配置される項目（３）に記載の収容ケース。
【００１６】
上記構成によれば、第１モジュールを収容する第１収容部及び第１支持部が、第２モジュールを収容する第２収容部及び第２支持部から離間している。従って、運搬時に第１モジュールと第２モジュールの接触に起因する第１モジュールと第２モジュールの損傷を確実に防止することができる。
【００１７】
（５）前記上部は、
前記支持部から突出する第１上突出部と、
前記第１上突出部と対向配置され、前記支持部から突出する第２上突出部と、
をさらに有し、
前記下部は、
前記支持部から突出する第１下突出部と、
前記第１下突出部と対向配置され、前記支持部から突出する第２下突出部と、
をさらに有し、
前記支持部は、前記第１上突出部と前記第２上突出部との間及び前記第１下突出部と前記第２下突出部との間に配置される項目（３）又は項目（４）に記載の収容ケース。
【００１８】
上記構成によれば、第１上突出部と、第２上突出部と、第１下突出部と、第２下突出部を設けることで、第１モジュール及び第２モジュールが収容される支持部と収容部を外力から保護することができる。このように、収容ケースの外力に対する信頼性をより高くすることができる。
【００１９】
（６）第１ホスト機器と電気的に接続される第１通信部と、前記第１通信部を収容する第１ハウジングとを有する第１モジュールと、
第２ホスト機器と電気的に接続される第２通信部と、前記第２通信部を収容する第２ハウジングとを有する第２モジュールと、
一端が前記第１モジュールに固定されると共に、他端が前記第２モジュールに固定され、前記第１通信部と前記第２通信部とを接続する信号線を有するケーブルと、
項目（１）から項目（５）のうちいずれか一項に記載の収容ケースと、
を備えた配線部材。
【００２０】
上記構成によれば、第１モジュールと第２モジュールが互いに離間した状態で収容ケースに収容されると共に、収容ケースは開閉可能に構成されている。従って、運搬時に第１モジュールと第２モジュールの接触に起因する第１モジュールと第２モジュールの損傷を防止できる配線部材を提供することができる。また、梱包作業及び開梱作業が容易な配線部材を提供することができる。
【００２１】
（７）前記第１モジュールと前記第２モジュールは同一の方向に向けて前記収容ケースに収容され、
前記ケーブルは、前記第１モジュールと前記第２モジュールを囲むように配置される項目（６）に記載の配線部材。
【００２２】
上記構成によれば、配線部材の梱包を小型化できる。
【００２３】
（８）前記信号線は、メタル線と、前記メタル線の外周に設けられたシールド層とを有し、
前記第１通信部は、前記第１ホスト機器に電気的に接続される第１回路基板を有し、
前記第１回路基板は、
前記メタル線が半田付けされた第１シグナルパッドと、
前記シールド層が半田付けされた第１グランドパッドと、を有し、
前記第１モジュールが前記収容ケースに収容された状態で、前記第１シグナルパッド及び前記第１グランドパッドのうち少なくとも一つが前記第１上突出部と前記第１下突出部との間に配置される項目（６）又は項目（７）に記載の配線部材。
【００２４】
上記構成によれば、メタル線が半田付けされる第１シグナルパッド及びシールド層が半田付けされる第１グランドパッドのうち少なくとも一つが第１上突出部と第１下突出部との間に配置される。このように、外力により損傷する可能性が高い第１シグナルパッド及び／又は第１グランドパッドを外力から保護することができる。このように、収容ケースの外力に対する信頼性をより高くすることができる。
【００２５】
（９）前記第１通信部は、前記第１ホスト機器に電気的に接続される第１回路基板を有し、
前記第１ハウジングは、前記第１回路基板が収容される低背部と、前記ケーブルが導入される高背部とを有し、
前記第１ハウジングの長手方向に直交する厚さ方向において、前記高背部の幅は、前記低背部の幅よりも大きく、且つ、前記第２上突出部と前記第２下突出部との間の距離よりも小さく、
前記第２上突出部と前記第２下突出部との間において、前記支持部と連通する空間部が形成され、
前記第１ハウジングの長手方向において、前記高背部と前記第２上突出部との間及び前記高背部と前記第２下突出部との間には空隙が設けられている項目（６）から項目（８）のうちいずれか一項に記載の配線部材。
【００２６】
上記構成によれば、外力によって第２上突出部及び第２下突出部が変形したときでも、第２上突出部と第２下突出部が第１ハウジングの高背部に接触しにくくなるため、第１ハウジングの高背部の損傷を防ぐことができる。このように、収容ケースの外力に対する信頼性をより高くすることができる。
【００２７】
（１０）前記第１ハウジングは、前記第１ホスト機器に設けられたレセプタクルハウジングと弾性的に接触すると共に、前記第１ハウジングと前記レセプタクルハウジングを電気的に接続するフィンガーを有し、
前記第２上突出部と前記第２下突出部との間において、前記支持部と連通する空間部が形成され、
前記フィンガーは前記空間部に収容される項目（６）から項目（８）のうちいずれか一項に記載の配線部材。
【００２８】
上記構成によれば、フィンガーが第２上突出部と第２下突出部との間に形成される空間部内に配置される。このように、外力により損傷する可能性が高いフィンガーを外力から保護することができる。このように、収容ケースの外力に対する信頼性をより高くすることができる。
【００２９】
（１１）前記第１ハウジングは、前記第１ホスト機器に設けられたレセプタクルハウジングと弾性的に係合するラッチ機構を有し、
前記第２上突出部と前記第２下突出部間において、前記支持部と連通する空間部が形成され、
前記ラッチ機構は前記空間部に収容される項目（６）から項目（８）のうちいずれか一項に記載の配線部材。
【００３０】
上記構成によれば、ラッチ機構が第２上突出部と第２下突出部との間に形成される空間部内に配置されるので、外力により損傷する可能性が高いラッチ機構を外力から保護することができる。このように、収容ケースの外力に対する信頼性をより高くすることができる。
【００３１】
（１２）絶縁性樹脂シートをプレス成形することで形成される、項目（１）から項目（５）のうちいずれか一項に記載の収容ケース。
【００３２】
上記構成によれば、絶縁性樹脂シートをプレス成形することで前記収容ケースが形成できるので、収容ケースを安価に製造することができる。
【００３３】
［本発明の実施形態の詳細］
以下、本発明の実施形態について図面を参照しながら説明する。尚、本実施形態の説明において既に説明された部材と同一の参照番号を有する部材については、説明の便宜上、その説明は省略する。また、本図面に示された各部材の寸法は、説明の便宜上、実際の各部材の寸法とは異なる場合がある。
【００３４】
また、本実施形態の説明では、説明の便宜上、「左右方向」、「前後方向」、「上下方向」について適宜言及する。これらの方向は、図１に示された配線部材１について設定された相対的な方向である。このため、図１に示された配線部材１が所定方向に回転した場合には、これらの方向も回転することに留意が必要である。ここで、「上下方向」は、「上方向」及び「下方向」を含む方向である。「前後方向」は、「前方向」及び「後方向」を含む方向である。「左右方向」は、「左方向」及び「右方向」を含む方向である。
【００３５】
図１は、本発明の実施形態に係る収容ケース２を備えた配線部材１を示す概略図である。図１に示すように、配線部材１は、ケーブル３と、第１モジュール４と、第２モジュール５と、収容ケース２とを備える。ケーブル３は、一端において第１モジュール４に固定されると共に、他端において第２モジュール５に固定されている。第１モジュール４と第２モジュール５は、互いに離間した状態で収容ケース２に収容されている。
【００３６】
図２は、配線部材１を示す上面図である。図２に示すように、第１モジュール４と第２モジュール５は、同一の方向（前方向）に向けて収容ケース２に収容されている。ケーブル３は、第１モジュール４と第２モジュール５を囲むように配置される。配線部材１はこの状態で梱包材により梱包された後、トラック等で輸送される。上記構成により、配線部材１の梱包を小型化することができる。
【００３７】
次に、図３を参照して第１モジュール４及び第２モジュール５の構成について説明する。図３は、ケーブル３に固定された第１モジュール４（又は、第２モジュール５）を示す斜視図である。
【００３８】
図３に示すように、第１モジュール４は、第１通信部４２（図５参照）と、第１通信部４２を収容する第１ハウジング４１と、ストレインリリーフ４４とを有する。第１通信部４２は、図示しない第１ホスト機器に電気的に接続されている。第１通信部４２は、第１ホスト機器と例えば４０Ｇｂｉｔ／ｓの通信を行うように構成されてもよい。この場合、ＭＳＡ（Multi Source Agreement）に規定されているように、第１モジュール４は、ＱＳＦＰ(Quad Small Form-Factor Pluggable)モジュールであることが好ましい。第１通信部４２の詳細については後述する。
【００３９】
第１ハウジング４１は、高背部４９と、低背部４７とを有する。高背部４９には、ケーブル３が導入される。低背部４７には、第１通信部４２の第１回路基板４３が収容される（図１０参照）。
【００４０】
第２モジュール５は、図３に示す第１モジュール４と略同一の構成を備える。第２モジュール５は、第２通信部５２（図５参照）と、第２通信部５２を収容する第２ハウジング５１と、ストレインリリーフ５４とを有する。第２通信部５２は、図示しない第２ホスト機器に電気的に接続されている。第２通信部５２は、第２ホスト機器と例えば４０Ｇｂｉｔ／ｓの通信を行うように構成されてもよい。この場合、ＭＳＡに規定されているように、第２モジュール５は、ＱＳＦＰであることが好ましい。第２通信部５２の詳細については後述する。
【００４１】
第２ハウジング５１は、高背部５９と、低背部５７とを有する。高背部５９には、ケーブル３が導入される。低背部５７には、第２通信部５２の第２回路基板５３が収容される。尚、本実施形態においては、第２モジュール５は第１モジュール４と略同一の構成を有するが、第２モジュール５は第１モジュール４と異なる構成を有してもよい。
【００４２】
次に、図４を参照してケーブル３の構成について説明する。図４（ａ）は、ケーブル３の長手方向に直交する断面図を示す。図４（ｂ）は、ケーブル３に含まれる信号線３３０の斜視図を示す。
【００４３】
図４（ａ）に示すように、ケーブル３は極細同軸ケーブルとして構成されており、複数の信号線３３０と、信号線３３０の配列を調整する一対の介在線３５０と、信号線３３０を一括して覆う保護層３４０と、信号線３３０と保護層３４０を覆う電磁遮蔽用のシールド層３２０と、シールド層３２０を覆う外被３１０とを有する。
【００４４】
信号線３３０は、極細同軸線として構成されている。信号線３３０は、第１通信部４２と第２通信部５２を接続するように構成されている（図５参照）。信号線３３０では、２本の信号線が対をなして、差動信号を構成する正相信号及び逆相信号を伝送するように構成されている。ケーブル３は、１６本の信号線３３０を有するため、差動信号を伝送する８つのチャンネルを形成している。８つのチャンネルのうち４つのチャンネルは送信用チャンネルであり、残りのチャンネルは受信用チャンネルである。
【００４５】
図４（ｂ）に示すように、信号線３３０は、信号を伝送するメタル線３３４と、メタル線３３４を覆う内部絶縁層３３３と、内部絶縁層３３３を覆うシールド層３３２と、シールド層３３２を覆う外被３３１とを有する。メタル線３３４は、７本の金属線が撚り合わされることで構成されている。このような構成によれば、ツイナックス線と比較してしなやかに曲がるケーブルを提供することができる。また、シールド層３３２は、メタル線３３４の外周に設けられている。尚、本実施形態において、ケーブル３は極細同軸ケーブルとして構成されているが、これに代わりツイナックスケーブルとして構成されてもよい。
【００４６】
次に、図５を参照して第１モジュール４の第１通信部４２と第２モジュール５の第２通信部５２について説明する。図５は、第１通信部４２（又は、第２通信部５２）を示す上面図である。図５に示すように、第１通信部４２は、複数の信号線３３０と電気的に接続された第１回路基板（ＰＣＢ）４３を備える。
【００４７】
第１回路基板４３は、接続部４３０と、複数のシグナルパッド４３１（第１シグナルパッド）と、共通グランドパッド４３２（第１グランドパッド）とを有する。接続部４３０の少なくとも一部は、第１ハウジング４１から外部に露出しており（図３参照）、図示しない第１ホスト機器のレセプタクルコネクタと電気的に接続される。接続部４３０は、信号を伝送する複数のシグナルパッド４３３と、ＧＮＤに接続される複数のグランドパッド４３４と、電源を供給する複数のパワーライン４３５とを有する。
【００４８】
複数の信号線３３０及び複数のシグナルパッド４３１は、左右方向において並んで配置されている。複数の信号線３３０のメタル線３３４の各々は、複数のシグナルパッド４３１のうち対応する一つと半田付けされることで電気的に接続されている。複数の信号線３３０のシールド層は、共通グランドパッド４３２と半田付けされることで電気的に接続されている。
【００４９】
複数のシグナルパッド４３１の各々は、第１回路基板４３に設けられた回路配線（図示せず）を介して複数のシグナルパッド４３３のうち対応する一つと電気的に接続されている。同様に、共通グランドパッド４３２は、図示しない回路配線を介してグランドパッド４３４と電気的に接続されている。また、パワーライン４３５は、図示しない回路配線を介して第１回路基板４３上に配置された電子機器（図示せず）と電気的に接続されている。また、上記回路配線に接続される波形成形回路を第１回路基板４３上に別途設けてもよい。
【００５０】
図５に示すように、第１回路基板４３の上面には８本の信号線３３０が配置されている。また、第１回路基板４３の下面も図５に示すような第１回路基板４３の上面と同一の構成を有する。従って、第１回路基板４３の上面、下面にはそれぞれ８本の信号線３３０が配置されており、合計１６本の信号線３３０が第１回路基板４３に配置される。上記したように、一対の信号線によって差動信号を伝送するチャンネルが一つ形成されるので、１６本の信号線３３０により差動信号を伝送するチャンネルが８つ形成される。８つのチャンネルのうち４つのチャンネルが送信用チャンネルであって、残りの４つのチャンネルが受信用チャンネルである。
【００５１】
また、第１通信部４２は、Ｅ／Ｏ変換器を有してもよい。Ｅ／Ｏ変換器は、例えば、発光素子とドライバＩＣから構成される。第１ホスト機器から伝送された電気信号がＥ／Ｏ変換器により光信号に変換されて、変換された光信号は信号線３３０に入力される。
この場合、信号線３３０は、光信号を伝送する光ファイバを含む光ケーブルとなり、第１回路基板４３と光学的に接続される。
【００５２】
次に、第２通信部５２について説明する。第２通信部５２は、図５に示す第１通信部４２と略同一の構成を有する。第２通信部５２は、複数の信号線３３０と電気的に接続された第２回路基板（ＰＣＢ）５３を備える。第２回路基板５３は、接続部５３０と、複数のシグナルパッド５３１と、共通グランドパッド５３２とを有する。接続部５３０の少なくとも一部は、第２ハウジング５１から外部に露出しており、図示しない第２ホスト機器のコネクタと電気的に接続される。接続部５３０は、複数のシグナルパッド５３３と、複数のグランドパッド５３４と、複数のパワーライン５３５とを有する。
【００５３】
また、第２通信部５２は、Ｏ／Ｅ変換器を有してもよい。Ｏ／Ｅ変換器は、例えば、受光素子とトランスインピーダンスアンプから構成される。この場合、信号線３３０は、光ファイバを含む光ケーブルとなり、第２回路基板５３と光学的に接続される。信号線３３０から伝送された光信号がＯ／Ｅ変換器により電気信号に変換されて、変換された電気信号が接続部５３０を介して第２ホスト機器に入力される。
【００５４】
次に、図６を参照して本発明の実施形態に係る収容ケース２の詳細について説明する。図６（ａ）は、開状態である収容ケース２を示す斜視図を示す。図６（ｂ）は、閉状態である収容ケース２を示す斜視図を示す。図６（ｃ）は、図６（ｂ）に示す収容ケース２をＡ方向から見たときの収容ケース２の側面図を示す。
【００５５】
図６に示すように、収容ケース２は、開閉可能に構成されており、折り曲げ可能な折り曲げ部２８ａ，２８ｂと、上部２１と、下部２２と、上部２１と下部２２とを接続する中間部２３とを有する。折り曲げ部２８ａは、上部２１と中間部２３との間の境界線を規定している。折り曲げ部２８ｂは、下部２２と中間部２３との間の境界線を規定している。折り曲げ部２８ａ，２８ｂを折り曲げて、上部２１の上固定部２１０と下部２２の下固定部２２０を互いに固定させることで、収容ケース２は、図６（ａ）に示す開状態から図６（ｂ）に示す閉状態に移行する。収容ケース２は、例えば、絶縁性樹脂シートをプレス成形することで形成される。このように、収容ケース２を安価に製造することができる。
【００５６】
上部２１は、上固定部２１０を有する。上固定部２１０は、第１上固定部２１０ａと、第２上固定部２１０ｂと、第３上固定部２１０ｃとを有する。これら上固定部２１０ａ〜２１０ｃは、間隙を設けて左右方向に並んで配置される。第１上固定部２１０ａと第２上固定部２１０ｂとの間には第１上支持部２１１ａが形成されると共に、第２上固定部２１０ｂと第３上固定部２１０ｃとの間には第２上支持部２１１ｂが形成される。
【００５７】
下部２２は、上固定部２１０に固定される下固定部２２０を有する。下固定部２２０は、第１下固定部２２０ａと、第２下固定部２２０ｂと、第３下固定部２２０ｃとを有する。これら下固定部２２０ａ〜２２０ｃは、間隙を設けて左右方向に並んで配置される。
【００５８】
図６（ｂ）に示すように収容ケース２が閉状態のとき、第１下固定部２２０ａは第１上固定部２１０ａと固定され、第２下固定部２２０ｂは第２上固定部２１０ｂと固定され、第３下固定部２２０ｃは第３上固定部２１０ｃと固定される。このとき、上固定部２１０ａ〜２１０ｃの突起部の各々が、下固定部２２０ａ〜２２０ｃの凹部の対応する一つに嵌合される。第１下固定部２２０ａと第２下固定部２２０ｂとの間には第１下支持部２２１ａが形成されると共に、第２下固定部２２０ｂと第３下固定部２２０ｃとの間には第２下支持部２２１ｂが形成される。
【００５９】
中間部２３は、折り曲げ部２８ａ，２８ｂによって規定されており、収容部２３０を有する。収容部２３０は、第１収容部２３０ａと第２収容部２３０ｂを有する。第１収容部２３０ａと第２収容部２３０ｂは、左右方向において互いに離間している。第１収容部２３０ａは第１モジュール４の端部を収容するように構成され、第２収容部２３０ｂは第２モジュール５の端部を収容するように構成される（図７参照）。
【００６０】
図６（ｂ）に示すように、上固定部２１０と下固定部２２０が互いに固定された状態で、収容部２３０と対向配置した支持部２４が上部２１と下部２２によって形成される。
支持部２４は、第１モジュール４と第２モジュール５が互いに離間した状態で第１モジュール４の一部と第２モジュール５の一部を収容するように構成されている。
【００６１】
支持部２４は、第１収容部２３０ａと対向配置した第１支持部２４ａと、第２収容部２３０ｂと対向配置した第２支持部２４ｂとを有する。第１支持部２４ａは、第１モジュール４の一部を収容するように構成され、第２支持部２４ｂは、第２モジュール５の一部を収容するように構成されている。上固定部２１０と下固定部２２０が互いに固定された状態で、第１上支持部２１１ａと第１下支持部２２１ａによって第１支持部２４ａが形成されると共に、第２上支持部２１１ｂと第２下支持部２２１ｂによって第２支持部２４ｂが形成される。
【００６２】
第１支持部２４ａは、左右方向において第１上固定部２１０ａと第２上固定部２１０ｂとの間及び第１下固定部２２０ａと第２下固定部２２０ｂとの間に配置される。第２支持部２４ｂは、左右方向において第２上固定部２１０ｂと第３上固定部２１０ｃとの間及び第２下固定部２２０ｂと第３下固定部２２０ｃとの間に配置される。
【００６３】
また、上部２１は、第１上突出部２１２ａと、前後方向において第１上突出部２１２ａと対向配置した第２上突出部２１２ｂをさらに有する。第１上突出部２１２ａと第２上突出部２１２ｂは、上下方向において支持部２４から上方向に向かって突出している。また、下部２２は、第１下突出部２２２ａと、前後方向において第１下突出部２２２ａと対向配置した第２下突出部２２２ｂをさらに有する。第１下突出部２２２ａと第２下突出部２２２ｂは、上下方向において支持部２４から下方向に向かって突出している（図１０参照）。支持部２４は、前後方向において第１上突出部２１２ａと第２上突出部２１２ｂとの間及び第１下突出部２２２ａと第２下突出部２２２ｂとの間に配置される。
【００６４】
次に、図７〜図１０を参照して第１モジュール４と第２モジュール５を収容ケース２に収容するための一連のフローについて説明する。図７は、収容ケース２が開状態であるときの第１，２モジュール４，５の一部が収容された収容ケース２を示す斜視図である。図８は、図７に示す収容ケース２の左右方向に直交する断面図である。図９は、収容ケース２が閉状態であるときの収容ケース２の左右方向に直交する断面図である。図１０は、収容ケース２が閉状態であるときの収容ケース２及び第１モジュール４の左右方向に直交する断面図である。尚、図１０では、図９とは左右方向における切断位置が異なるため、第１モジュール４の断面図が示されている。
【００６５】
図７及び図８に示すように、収容ケース２が開状態であるときに、第１モジュール４の端部が第１収容部２３０ａに収容されると共に、第２モジュール５の端部が第２収容部２３０ｂに収容される。
【００６６】
次に、図７に示す開状態から、折り曲げ部２８ａ，２８ｂを折り曲げた後に、上固定部２１０を下固定部２２０に固定させることで、収容ケース２は閉状態となる。このとき、第１モジュール４を収容する第１支持部２４ａが形成されると共に、第２モジュール５を収容する第２支持部２４ｂが形成される（図９参照）。このように、第１モジュール４と第２モジュール５が互いに離間した状態で収容ケース２に収容される。従って、運搬時に第１モジュール４と第２モジュール５の接触に起因する第１モジュール４と第２モジュール５の損傷を防止することができる。また、収容ケース２が開閉可能に構成されているため、梱包作業及び開梱作業が容易な配線部材１を提供することができる。
【００６７】
本実施形態によれば、上記で説明した２アクションによる簡単な作業で第１モジュール４と第２モジュール５を収容ケース２に収容する又は収容ケース２から取り出すことができる。また、収容部２３０と支持部２４を独立して構成することで、収容ケース２の外力に対する信頼性を高くすることができる。
【００６８】
また、図６（ｂ）に示すように、第１モジュール４を収容する第１収容部２３０ａ及び第１支持部２４ａが、第２モジュール５を収容する第２収容部２３０ｂ及び第２支持部２４ｂから離間している。従って、運搬時に第１モジュール４と第２モジュール５との接触に起因する第１モジュール４と第２モジュール５の損傷を確実に防止することができる。
【００６９】
また、図９に示すように、収容ケース２には、第１上突出部２１２ａと、第２上突出部２１２ｂと、第１下突出部２２２ａと、第２下突出部２２２ｂが設けられているので、第１モジュール４と第２モジュール５が収容される支持部２４と収容部２３０を外力から保護することができる。このように、収容ケース２の外力に対する信頼性をより高くすることができる。
【００７０】
また、図１０に示すように、上下方向において第１上突出部２１２ａと第１下突出部２２２ａとの間に収容部２３０と支持部２４と連通する空間部Ｓ１が形成される。さらに、上下方向において第２上突出部２１２ｂと第２下突出部２２２ｂとの間に支持部２４と連通する空間部Ｓ２が形成される。
【００７１】
また、第１モジュール４が収容ケース２に収容された状態で、複数の共通グランドパッド４３２が上下方向において第１上突出部２１２ａと第１下突出部２２２ａとの間に配置される。尚、共通グランドパッド４３２及び／又はシグナルパッド４３１が上下方向において第１上突出部２１２ａと第１下突出部２２２ａとの間に配置されてもよい。このような配置関係により、外力により損傷する可能性が高い共通グランドパッド４３２及び／又はシグナルパッド４３１を外力から保護することができ、収容ケース２の外力に対する信頼性をより高くすることができる。
【００７２】
また、上下方向において、第１ハウジング４１の高背部４９の幅ｄ２は、低背部４７の幅ｄ１よりも大きく、第２上突出部２１２ｂと第２下突出部２２２ｂとの間の距離ｄ３よりも小さい。さらに、前後方向（第１ハウジング４１の長手方向）において、高背部４９と第２上突出部２１２ｂとの間には空隙Ｇ１が設けられていると共に、高背部４９と第２下突出部２２２ｂとの間には空隙Ｇ２が設けられている。従って、外力により第２上突出部２１２ｂ及び第２下突出部２２２ｂが変形したときでも、第２上突出部２１２ｂと第２下突出部２２２ｂが高背部４９に接触しにくくなるため、収容ケース２による高背部４９の損傷を防ぐことができる。このように、収容ケース２の外力に対する信頼性をより高くすることができる。
【００７３】
尚、上記説明では、第１モジュール４が収容ケース２に収容された状態について主に説明しているが、第２モジュール５も第１モジュール４と同じ状態で収容ケース２に収容されている。
【００７４】
次に、図１１〜図１３を参照して変形例に係る第１モジュール４Ａが収容ケース２に収容された状態について説明する。尚、以下では、第１モジュール４Ａについて説明するが、説明されない第２モジュールも第１モジュール４Ａと同一の構成を有してもよい。
【００７５】
図１１は、変形例に係る第１モジュール４Ａを示す斜視図である。図１２は、第１モジュール４Ａが収容されるレセプタクルハウジング６を示す斜視図である。図１３は、収容ケース２が閉状態であるときの第１モジュール４Ａが収容された収容ケース２の左右方向に直交する断面図である。
【００７６】
図１１に示すように、第１モジュール４Ａは、第１通信部４２Ａと、第１通信部４２Ａを収容する第１ハウジング４１Ａと、プルタブ４４Ａとを有する。第１ハウジング４１Ａは、ラッチ機構４５Ａと複数のフィンガー４６Ａを有する。第１通信部４２Ａは、第１回路基板４３Ａを有する。第１回路基板４３Ａは、第１ハウジング４１Ａから外部に露出した接続部４３０Ａを有する。
【００７７】
図１２に示すように、図示しない第１ホスト機器に設けられたレセプタクルハウジング６は、弾性係合部６２と、複数のフィンガー接触部６４と、端子６３とを有する。第１モジュール４Ａがレセプタクルハウジング６に収容されると、第１ハウジング４１Ａのラッチ機構４５Ａとレセプタクルハウジング６の弾性係合部６２が弾性的に係合することで、第１モジュール４Ａとレセプタクルハウジング６が互いに固定される。このとき、接続部４３０Ａは、端子６３と電気的に接続される。また、フィンガー４６Ａは、フィンガー接触部６４と弾性的に接触すると共に、第１ハウジング４１Ａとレセプタクルハウジング６を電気的に接続する。一方、第１モジュール４Ａとレセプタクルハウジング６との間の固定を解除するときは、プルタブ４４Ａを後方向に引っ張ることで、ラッチ機構４５Ａと弾性係合部６２との間の弾性係合が解除される。
【００７８】
図１３に示すように、第１モジュール４Ａが収容ケース２に収容された状態で、フィンガー４６Ａ及びラッチ機構４５Ａは、空間部Ｓ２に収容される。このように、外力により損傷する可能性が高いフィンガー４６Ａ及びラッチ機構４５Ａを外力から保護することができ、収容ケース２の外力に対する信頼性を高くすることができる。
【００７９】
以上、本発明の実施形態について説明をしたが、本発明の技術的範囲が本実施形態の説明によって限定的に解釈されるべきではないのは言うまでもない。本実施形態はあくまでも一例であって、特許請求の範囲に記載された発明の範囲内において、様々な実施形態の変更が可能であることが当業者によって理解される。このように、本発明の技術的範囲は特許請求の範囲に記載された発明の範囲及びその均等の範囲に基づいて定められるべきである。
【００８０】
例えば、本実施形態では、第１モジュール４及び第２モジュール５に固定された単一のケーブル３について説明したが、ケーブル３は複数本あってもよい。この場合、複数のケーブル３の各々に、複数の信号線３３０が含まれる。
【符号の説明】
【００８１】
１：配線部材
２：収容ケース
３：ケーブル
４、４Ａ：第１モジュール
５：第２モジュール
６：レセプタクルハウジング
２１：上部
２２：下部
２３：中間部
２４：支持部
２４ａ：第１支持部
２４ｂ：第２支持部
２８ａ、２８ｂ：折り曲げ部
４１、４１Ａ：第１ハウジング
４２、４２Ａ：第１通信部
４３、４３Ａ：第１回路基板
４４：ストレインリリーフ
４４Ａ：プルタブ
４５Ａ：ラッチ機構
４６Ａ：フィンガー
４７：低背部
４９：高背部
５１：第２ハウジング
５２：第２通信部
５３：第２回路基板
５４：ストレインリリーフ
５７：低背部
５９：高背部
６２：弾性係合部
６３：端子
６４：フィンガー接触部
２１０：上固定部
２１０ａ：第１上固定部
２１０ｂ：第２上固定部
２１０ｃ：第３上固定部
２１１ａ：第１上支持部
２１１ｂ：第２上支持部
２１２ａ：第１上突出部
２１２ｂ：第２上突出部
２２０：下固定部
２２０ａ：第１下固定部
２２０ｂ：第２下固定部
２２０ｃ：第３下固定部
２２１ａ：第１下支持部
２２１ｂ：第２下支持部
２２２ａ：第１下突出部
２２２ｂ：第２下突出部
２３０：収容部
２３０ａ：第１収容部
２３０ｂ：第２収容部
３１０：外被
３２０：シールド層
３３０：信号線
３３１：外被
３３２：シールド層
３３３：内部絶縁層
３３４：メタル線
３４０：保護層
３５０：介在線
４３０：接続部
４３０Ａ：接続部
４３１：シグナルパッド（第１シグナルパッド）
４３２：共通グランドパッド（第１グランドパッド）
４３３：シグナルパッド
４３４：グランドパッド
４３５：パワーライン
５３０：接続部
５３１：シグナルパッド
５３２：共通グランドパッド
５３３：シグナルパッド
５３４：グランドパッド
５３５：パワーライン
Ｓ１、Ｓ２：空間部
Ｇ１、Ｇ２：空隙
【図１】
2017024734.tif 000003
【図２】
2017024734.tif 000004
【図３】
2017024734.tif 000005
【図４】
2017024734.tif 000006
【図５】
2017024734.tif 000007
【図６】
2017024734.tif 000008
【図７】
2017024734.tif 000009
【図８】
2017024734.tif 000010
【図９】
2017024734.tif 000011
【図１０】
2017024734.tif 000012
【図１１】
2017024734.tif 000013
【図１２】
2017024734.tif 000014
【図１３】
2017024734.tif 000015